(57)【要約】  通常動作時には、スイッチング電源用コントロールＩＣのスイッチ制御回路がスイッチング素子の開閉動作を制御するように動作する。リモコン受光部により待機動作が指示された場合には、２次出力巻線用整流／平滑回路の出力電圧が予め定められた値よりも低くなるまでの期間に省エネルギースイッチが開かれる。それにより、スイッチング電源用コントロールＩＣのスイッチ制御回路の動作が停止するため、スイッチング素子の開閉動作が行われない。この場合、リモコン受光部およびタイマーマイコンは、２次出力巻線用整流／平滑回路の平滑コンデンサの電圧に基づく電力で動作可能である。
2011065024.tif 000002
【特許請求の範囲】
【請求項１】
電源装置であって、前記電源装置からの電力により動作する指示部の指示により前記電源装置に接続される回路に電力を供給する通常動作と前記電源装置に接続される回路に電力を供給しない待機動作とに切り替え可能であり、
直流電圧を発生する電圧発生部と、
第１のスイッチと、
前記第１のスイッチを介して前記電圧発生部に接続され、前記電圧発生部により発生された直流電圧を前記電源装置に接続される回路および前記指示部に電力を供給するための直流電圧に変換する電圧変換部と、
第２のスイッチと、
前記第２のスイッチを介して前記電圧変換部の出力電圧を電源電圧として受けることにより、前記第１のスイッチの開閉動作を制御するように動作可能な制御回路と、
前記通常動作時に前記第２のスイッチを閉じ、前記指示部により前記待機動作が指示された後、第１の期間が経過したときに前記第２のスイッチを開くスイッチ制御部とを備える、電源装置。
【請求項２】
前記第１の期間に続く第２の期間に前記電圧発生部により発生される直流電圧を電源電圧として前記制御回路に供給する第３のスイッチをさらに備える、請求項１記載の電源装置。
【請求項３】
前記第２のスイッチが開かれた時点からの経過時間を計測する計時部をさらに備え、
前記第３のスイッチは、前記計時部により計測された経過時間が予め定められた時間に達したときに前記電圧発生部により発生される直流電圧を電源電圧として前記制御回路に供給する、請求項２記載の電源装置。
【請求項４】
前記電圧変換部の出力電圧を検出する電圧検出部をさらに備え、
前記第３のスイッチは、前記電圧検出部により検出された出力電圧が予め定められた値まで低下したときに前記電圧発生部により発生される直流電圧を電源電圧として前記制御回路に供給する、請求項２記載の電源装置。
【請求項５】
前記第３のスイッチは、前記制御回路が受ける前記電源電圧が予め定められた値以上になった場合に前記電圧発生部から前記制御回路への直流電圧の供給を停止する、請求項２記載の電源装置。
【請求項６】
前記指示部により前記待機動作が指示された時点から前記指示部により前記通常動作が指示される時点まで前記第１および第２の期間の動作が繰り返し行われる、請求項２記載の電源装置。
【請求項７】
前記第１の期間は前記第２の期間よりも長い、請求項２記載の電源装置。
【請求項８】
前記電圧変換部は、前記出力電圧に充電される容量素子を含む、請求項１記載の電源装置。
【請求項９】
前記指示部により前記通常動作が指示された場合に、前記第２のスイッチが閉じ、前記第３のスイッチは一定期間閉じた後に開く、請求項１記載の電源装置。
【請求項１０】
前記電圧変換部は、
前記第１のスイッチを介して前記電圧発生部に接続される第１の巻線を有するとともに第２の巻線および第３の巻線を有する変圧器と、
前記第２の巻線に発生した電圧を整流および平滑する第１の整流平滑回路と、
前記第３の巻線に発生した電圧を整流および平滑する第２の整流平滑回路とを含み、
前記指示部は、前記第１の整流平滑回路の出力電圧に基づく電力により動作し、
前記制御回路は、前記第２の整流平滑回路の出力電圧を電源電圧として前記第２のスイッチを介して受けるように接続される、請求項１記載の電源装置。
【請求項１１】
前記第１の整流平滑回路は第１の容量素子を含み、前記第２の整流平滑回路は第２の容量素子を含み、
前記第１の容量素子は、前記第２の容量素子よりも大きな容量値を有する、請求項１０記載の電源装置。
【請求項１２】
電源装置であって、前記電源装置からの電力により動作する指示部の指示により前記電源装置に接続される回路に電力を供給する通常動作と前記電源装置に接続される回路に電力を供給しない待機動作とに切り替え可能であり、
直流電圧を発生する電圧発生部と、
前記電圧発生部に接続され、前記電圧発生部により発生された直流電圧を前記電源装置に接続される回路および前記指示部に電力を供給するための直流電圧に変換する電圧変換部と、
前記通常動作時に前記電圧変換部の出力電圧が第１の値を有するように前記電圧変換部を制御し、前記指示部により前記待機動作が指示された場合に前記電圧変換部の出力電圧が前記第１の値よりも低い第２の値に低下するように前記電圧変換部を制御する制御回路とを備える、電源装置。
【請求項１３】
電源装置からの電力により動作する指示部の指示により前記電源装置に接続される回路に電力を供給する通常動作と前記電源装置に接続される回路に電力を供給しない待機動作とに切り替え可能な電源装置の制御方法であって、
前記電源装置は、
直流電圧を発生する電圧発生部と、
第１のスイッチを介して前記電圧発生部に接続され、前記電圧発生部により発生された直流電圧を前記電源装置に接続される回路および前記指示部に電力を供給するための直流電圧に変換する電圧変換部と、
第２のスイッチを介して前記電圧変換部の出力電圧を電源電圧として受けることにより、前記第１のスイッチの開閉動作を制御するように動作可能な制御回路とを備え、
前記制御方法は、
前記通常動作時に、前記第２のスイッチを閉じることにより前記制御回路を動作させるステップと、
前記指示部により前記待機動作が指示された後、第１の期間が経過したときに前記第２のスイッチを開くことにより、前記制御回路の動作を停止させるステップとを含む、電源装置の制御方法。
【請求項１４】
電源装置からの電力により動作する指示部の指示により前記電源装置に接続される回路に電力を供給する通常動作と前記電源装置に接続される回路に電力を供給しない待機動作とに切り替え可能な電源装置の制御方法であって、
前記電源装置は、
直流電圧を発生する電圧発生部と、
前記電圧発生部に接続され、前記電圧発生部により発生された直流電圧を前記電源装置に接続される回路および前記指示部に電力を供給するための直流電圧に変換する電圧変換部とを備え、
前記制御方法は、
前記通常動作時に前記電圧変換部の出力電圧が第１の値を有するように前記電圧変換部を制御するステップと、
前記指示部により前記待機動作が指示された場合に前記電圧変換部の出力電圧が前記第１の値よりも低い第２の値に低下するように前記電圧変換部を制御するステップとを含む、電源装置の制御方法。
【発明の詳細な説明】
【技術分野】
【０００１】
本発明は、待機動作が可能な電源装置およびその制御方法に関する。
【背景技術】
【０００２】
スイッチング電源装置では、トランスの１次側巻線に接続されたスイッチング素子がオンおよびオフされる。スイッチング電源装置の消費電力を低減する方法として、従来より、スイッチング周波数を低減する方法、またはスイッチング周期に休止区間を設ける方法等が知られている。【０００３】
特許文献１に記載されたスイッチング電源装置では、マイクロコンピュータによりスイッチング電源装置の発振周波数が制御される。それにより、待機動作時の変換効率が改善され、消費電力が低減される。【０００４】
また、通常動作時にバーストスイッチング制御を行なうスイッチング電源装置が知られている。バーストスイッチング制御では、トランスの２次巻線に接続される整流平滑回路の出力電圧が上限電圧よりも上昇したときにスイッチング素子のオンオフ動作が一時休止される。整流平滑回路の出力電圧が下限電圧よりも低下したときにスイッチング素子のオンオフ動作が再開される。それにより、通常動作時における出力電圧が安定化される。【０００５】
特許文献２に記載されたスイッチング電源装置では、バーストスイッチング制御の休止期間において、スイッチング素子を制御するスイッチング制御回路への電力供給を停止される。それにより、スイッチング電源装置のバーストスイッチング制御時の消費電力が低減される。
【特許文献１】特開平９−１４０１２８号公報
【特許文献２】特開２００４−８８９５９号公報
【発明の開示】
【発明が解決しようとする課題】
【０００６】
上記の特許文献１のスイッチング電源装置では、待機動作時においても、スイッチング動作が行われるため、スイッチ素子駆動回路およびスイッチ駆動制御回路で電力が消費される。【０００７】
一方、特許文献２のスイッチング電源装置では、通常動作時における消費電力を低減することが可能である。しかしながら、特許文献２には、スイッチング電源装置の待機動作時の消費電力を低減する技術については記載されていない。【０００８】
例えば、テレビ受信機、記録再生装置、空調機等の電気機器は、リモコンを用いて操作される。そのため、電源スイッチがオフされている間に、リモコンからの赤外線信号を受信するとともにスイッチング素子を動作させることにより、電源装置を動作状態にする必要がある。そこで、このような電気機器に用いられる電源装置では、待機動作時にリモコン受光部に電力が供給されるとともにスイッチング素子を制御するスイッチング制御回路に電力が供給され、通常動作時に電気機器の全体の回路に電力が供給される。【０００９】
待機動作時の消費電力を低減するためには、待機動作から通常動作への移行を可能にしつつスイッチング素子およびスイッチング制御回路で消費される電力を十分に低減することが望まれる。【００１０】
本発明の目的は、待機動作から通常動作への移行が可能でかつ待機動作時の消費電力が十分に低減される電源装置およびその制御方法を提供することである。
【課題を解決するための手段】
【００１１】
（１）本発明の一局面に従う電源装置は、電源装置からの電力により動作する指示部の指示により電源装置に接続される回路に電力を供給する通常動作と電源装置に接続される回路に電力を供給しない待機動作とに切り替え可能であり、直流電圧を発生する電圧発生部と、第１のスイッチと、第１のスイッチを介して電圧発生部に接続され、電圧発生部により発生された直流電圧を電源装置に接続される回路および指示部に電力を供給するための直流電圧に変換する電圧変換部と、第２のスイッチと、第２のスイッチを介して電圧変換部の出力電圧を電源電圧として受けることにより、第１のスイッチの開閉動作を制御するように動作可能な制御回路と、通常動作時に第２のスイッチを閉じ、指示部により待機動作が指示された後、第１の期間が経過したときに第２のスイッチを開くスイッチ制御部とを備える。【００１２】
その電源装置においては、通常動作時には、制御回路が第１のスイッチの開閉動作を制御するように動作する。それにより、電圧発生部により発生された直流電圧が電圧変換部により電源装置に接続された回路に電力を供給するための直流電圧に変換される。この場合、第２のスイッチが閉じられているので、制御回路は、第２のスイッチを介して電圧変換部の出力電圧を電源電圧として受ける。また、指示部は、電圧変換部の出力電圧に基づく電力により動作する。【００１３】
指示部により待機動作が指示された後、第１の期間が経過したときに第２のスイッチが開かれる。それにより、制御回路の動作が停止するため、第１のスイッチの開閉動作が行われない。その結果、電圧変換部の出力電圧が低下する。この場合、指示部は、電圧変換部の低下する出力電圧に基づく電力で動作可能であるので、指示部による通常動作の指示が可能である。【００１４】
このように、待機動作時の第１の期間では、電圧変換部および制御回路において電圧発生部からの電力が消費されない。また、指示部は動作可能な状態になっている。その結果、待機動作から通常動作への移行が可能でかつ待機動作時の消費電力が十分に低減される。【００１５】
（２）電源装置は、第１の期間に続く第２の期間に電圧発生部により発生される直流電圧を電源電圧として制御回路に供給する第３のスイッチをさらに備えてもよい。【００１６】
この場合、第１の期間に続く第２の期間において、電圧発生部により発生される直流電圧が電源電圧として制御回路に供給される。それにより、制御回路が動作するので、第１のスイッチが開閉動作を行う。その結果、電圧変換部の出力電圧が予め定められた値よりも低くなる前に再び上昇する。したがって、指示部の動作が停止することが防止される。【００１７】
（３）電源装置は、第２のスイッチが開かれた時点からの経過時間を計測する計時部をさらに備え、第３のスイッチは、計時部により計測された経過時間が予め定められた時間に達したときに電圧発生部により発生される直流電圧を電源電圧として制御回路に供給してもよい。【００１８】
この場合、計時部により計測された経過時間により第１の期間が自動的に設定される。それにより、電圧変換部の出力電圧が予め定められた値よりも低くなることを防止しつつ制御回路の動作を一定期間停止させることができる。【００１９】
（４）電源装置は、電圧変換部の出力電圧を検出する電圧検出部をさらに備え、第３のスイッチは、電圧検出部により検出された出力電圧が予め定められた値まで低下したときに電圧発生部により発生される直流電圧を電源電圧として制御回路に供給してもよい。【００２０】
この場合、電圧検出部により検出された電圧に基づいて第１の期間が自動的に設定される。それにより、電圧変換部の出力電圧が予め定められた値よりも低くなることを防止しつつ制御回路の動作を一定期間停止させることができる。【００２１】
（５）第３のスイッチは、制御回路が受ける電源電圧が予め定められた値以上になった場合に電圧発生部から制御回路への直流電圧の供給を停止してもよい。【００２２】
この場合、第３のスイッチにより電圧発生部から制御回路へ直流電圧が供給される時間が制限される。それにより、待機動作時の消費電力を十分に低減することができる。【００２３】
（６）指示部により待機動作が指示された時点から指示部により通常動作が指示される時点まで第１および第２の期間の動作が繰り返し行われてもよい。【００２４】
（７）第１の期間は第２の期間よりも長くてもよい。この場合、待機動作時の消費電力を十分に低減することができる。【００２５】
（８）電圧変換部は、出力電圧に充電される容量素子を含んでもよい。【００２６】
この場合、容量素子が出力電圧に充電されているので、待機動作時に、電圧変換部の出力電圧の低下速度が遅くなる。それにより、制御回路をより長い時間停止させることが可能となる。その結果、待機動作時の消費電力を十分に低減することができる。【００２７】
（９）指示部により通常動作が指示された場合に、第２のスイッチが閉じ、第３のスイッチは一定期間閉じた後に開いてもよい。【００２８】
この場合、通常動作が指示されたときに、制御回路に第２のスイッチおよび第３のスイッチにより電源電圧が供給される。それにより、待機動作から通常動作に迅速に移行することができる。また、第３のスイッチは一定時間閉じた後に開くので、消費電力の増加が抑制される。【００２９】
（１０）電圧変換部は、第１のスイッチを介して電圧発生部に接続される第１の巻線を有するとともに第２の巻線および第３の巻線を有する変圧器と、第２の巻線に発生した電圧を整流および平滑する第１の整流平滑回路と、第３の巻線に発生した電圧を整流および平滑する第２の整流平滑回路とを含み、指示部は、第１の整流平滑回路の出力電圧に基づく電力により動作し、制御回路は、第２の整流平滑回路の出力電圧を電源電圧として第２のスイッチを介して受けるように接続されてもよい。【００３０】
この場合、制御回路と指示部とが異なる経路で電源電圧を受ける。それにより、指示部がトランスの１次側のノイズの影響を受けることが防止される。【００３１】
（１１）第１の整流平滑回路は第１の容量素子を含み、第２の整流平滑回路は第２の容量素子を含み、第１の容量素子は、第２の容量素子よりも大きな容量値を有してもよい。【００３２】
この場合、待機動作時に、第１の容量素子が第１の整流平滑回路の出力電圧に充電される。また、第２の容量素子が第２の整流平滑回路の出力電圧に充電される。第１の容量素子の容量値が第２の容量素子の容量値よりも大きいので、待機動作時に、第１の整流平滑回路の出力電圧の低下速度が第２の整流平滑回路の出力電圧の低下速度よりも遅くなる。それにより、制御回路をより長い時間停止させることが可能となる。その結果、待機動作時の消費電力を十分に低減することができる。【００３３】
（１２）本発明の他の局面に従う電源装置は、電源装置からの電力により動作する指示部の指示により電源装置に接続される回路に電力を供給する通常動作と電源装置に接続される回路に電力を供給しない待機動作とに切り替え可能であり、直流電圧を発生する電圧発生部と、電圧発生部に接続され、電圧発生部により発生された直流電圧を電源装置に接続される回路および指示部に電力を供給するための直流電圧に変換する電圧変換部と、通常動作時に電圧変換部の出力電圧が第１の値を有するように電圧変換部を制御し、指示部により待機動作が指示された場合に電圧変換部の出力電圧が第１の値よりも低い第２の値に低下するように電圧変換部を制御する制御回路とを備える。【００３４】
その電源装置においては、通常動作時には、電圧変換部の出力電圧が第１の値を有するように制御回路により電圧変換部が制御される。また、指示部により待機動作が指示された場合には、電圧変換部の出力電圧が第１の値よりも低い第２の値に低下するように制御回路により電圧変換部が制御される。この場合、指示部には、電圧変換部の低下する出力電圧に基づく電力で動作可能である。そのため、指示部による通常動作の指示が可能である。【００３５】
このように、待機動作時には、通常動作に比べて低い電圧で指示部が動作する。そのため、電圧変換部および指示部の消費電力が低減される。その結果、待機動作時の消費電力を十分に低減しつつ、通常動作および待機動作の指示を行うことが可能である。【００３６】
（１３）本発明のさらに他の局面に従う電源装置の制御方法は、電源装置からの電力により動作する指示部の指示により電源装置に接続される回路に電力を供給する通常動作と電源装置に接続される回路および指示部に電力を供給しない待機動作とに切り替え可能な電源装置の制御方法であって、電源装置は、直流電圧を発生する電圧発生部と、第１のスイッチを介して電圧発生部に接続され、電圧発生部により発生された直流電圧を電源装置に接続される回路に電力を供給するための直流電圧に変換する電圧変換部と、第２のスイッチを介して電圧変換部の出力電圧を電源電圧として受けることにより、第１のスイッチの開閉動作を制御するように動作可能な制御回路とを備え、制御方法は、通常動作時に、第２のスイッチを閉じることにより制御回路を動作させるステップと、指示部により待機動作が指示された後、第１の期間が経過したときに第２のスイッチを開くことにより、制御回路の動作を停止させるステップとを含む。【００３７】
その電源装置の制御方法によれば、通常動作時には、制御回路が第１のスイッチの開閉動作を制御するように動作する。それにより、電圧発生部により発生された直流電圧が電圧変換部により電源装置に接続される回路に電力を供給するための直流電圧に変換される。この場合、第２のスイッチが閉じられているので、制御回路は、第２のスイッチを介して電圧変換部の出力電圧を電源電圧として受ける。また、指示部は、電圧変換部の出力電圧に基づく電力により動作する。【００３８】
指示部により待機動作が指示された後、第１の期間が経過したときに第２のスイッチが開かれる。それにより、制御回路の動作が停止するため、第１のスイッチの開閉動作が行われない。その結果、電圧変換部の出力電圧が低下する。この場合、指示部は、電圧変換部の低下する出力電圧に基づく電力で動作可能であるので、指示部による通常動作の指示が可能である。【００３９】
このように、待機動作時の第１の期間では、電圧変換部および制御回路において電圧発生部からの電力が消費されない。また、指示部は動作可能な状態になっている。その結果、待機動作から通常動作への移行が可能でかつ待機動作時の消費電力が十分に低減される。【００４０】
（１４）本発明のさらに他の局面に従う電源装置の制御方法は、電源装置からの電力により動作する指示部の指示により電源装置に接続される回路に電力を供給する通常動作と電源装置に接続される回路に電力を供給しない待機動作とに切り替え可能な電源装置の制御方法であって、電源装置は、直流電圧を発生する電圧発生部と、電圧発生部に接続され、電圧発生部により発生された直流電圧を電源装置に接続される回路および指示部に電力を供給するための直流電圧に変換する電圧変換部と、制御方法は、通常動作時に電圧変換部の出力電圧が第１の値を有するように電圧変換部を制御するステップと、指示部により待機動作が指示された場合に電圧変換部の出力電圧が第１の値よりも低い第２の値に低下するように電圧変換部を制御するステップとを含む。【００４１】
その電源装置の制御方法によれば、通常動作時には、電圧変換部の出力電圧が第１の値を有するように制御回路により電圧変換部が制御される。また、指示部により待機動作が指示された場合には、電圧変換部の出力電圧が第１の値よりも低い第２の値に低下するように制御回路により電圧変換部が制御される。この場合、指示部には、電圧変換部の低下する出力電圧に基づく電力で動作可能である。そのため、指示部による通常動作の指示が可能である。【００４２】
このように、待機動作時には、通常動作に比べて低い電圧で指示部が動作する。そのため、電圧変換部および指示部の消費電力が低減される。その結果、待機動作時の消費電力を十分に低減しつつ、通常動作および待機動作の指示を行うことが可能である。
【発明の効果】
【００４３】
本発明によれば、待機動作から通常動作への移行が可能でかつ待機動作時の消費電力が十分に低減される。
【図面の簡単な説明】
【００４４】
【図１】図１は第１の実施の形態に係る電源装置を備えた電気機器の構成を示す回路図
【図２】図２は図１の電源装置の動作を説明するためのタイミングチャート
【図３】図３は図１の電源装置の起動動作を示すフローチャート
【図４】図４は図１の電源装置の待機動作を示すフローチャート
【図５】図５は第２の実施の形態に係る電源装置を備えた電気機器の構成を示す回路図
【図６】図６は図５の電源装置の待機動作を示すフローチャート
【図７】図７は第３の実施の形態に係る電源装置を備えた電気機器の構成を示す回路図
【発明を実施するための最良の形態】
【００４５】
（１）第１の実施の形態
（１−１）電源装置を備えた電気機器の構成
第１の実施の形態に係る電源装置を備えた電気機器について説明する。図１は第１の実施の形態に係る電源装置を備えた電気機器の構成を示す回路図である。【００４６】
ＡＣコードプラグ１００は、商用交流電源からの交流電力を得るために家庭用ＡＣコンセントに接続されるコネクタである。ＡＣコードプラグ１００には、整流／平滑回路１０１が接続される。整流／平滑回路１０１は、整流ブリッジダイオード１０２および平滑コンデンサ１０３により構成される。整流ブリッジダイオード１０２の一対の端子はＡＣコードプラグ１００に接続され、他の一対の端子は平滑コンデンサ１０３の両端に接続される。平滑コンデンサ１０３の一端はノードＮ１に接続され、他端は１次側接地端子に接続される。【００４７】
整流／平滑回路１０１は、ＡＣコードプラグ１００により得られた交流電圧を直流電圧に変換する。この場合、整流ブリッジダイオード１０２は、交流の実効エネルギー部分を平滑コンデンサ１０３の一端に与える。それにより、平滑コンデンサ１０３の充電機能を利用して交流電圧が直流電圧に変換される。【００４８】
変圧器１０４は、スイッチングトランスである。この変圧器１０４は、メイン巻線１０５、２次出力巻線１０６および補助電圧巻線１０７を備える。メイン巻線１０５の一端はノードＮ１に接続され、他端はスイッチング素子１０８を介して１次側接地端子に接続される。２次出力巻線１０６の一端は２次出力巻線用整流／平滑回路１１６に接続され、他端は２次側接地端子に接続される。【００４９】
補助電圧巻線１０７の一端は補助電圧巻線用整流／平滑回路１１３に接続され、他端は１次側接地端子に接続される。【００５０】
メイン巻線１０５は、整流／平滑回路１０１により得られた直流電圧をエネルギーとして蓄積する。２次出力巻線１０６は、メイン巻線１０５のエネルギーを磁気結合により受け取り、２次出力巻線用整流／平滑回路１１６に電力を供給する。補助電圧巻線１０７は、後述するスイッチング電源用コントロールＩＣ（以下、コントロールＩＣと略記する）１０９を動作させるために必要な電力を補助電圧巻線用整流／平滑回路１１３に供給する。【００５１】
スイッチング素子１０８は、コントロールＩＣ１０９から与えられるパルス信号Ｓ１に基づいて開状態および閉状態に切り替えられるスイッチである。スイッチング素子１０８の閉状態時に、メイン巻線１０５の両端に電圧が印加され、メイン巻線１０５に電流が流れる。それにより、２次側で必要なエネルギーがメイン巻線１０５に蓄積される。メイン巻線１０５に蓄積されたエネルギーは、スイッチング素子１０８の開状態時に２次出力巻線１０６に伝達される。スイッチング素子１０８の開閉タイミングは、コントロールＩＣ１０９から出力されるスイッチング制御信号Ｓ１により制御される。スイッチング素子１０８が開状態と閉状態とを繰り返すことにより、２次出力巻線１０６にパルス電圧が発生する。それにより、変圧器１０４の１次側のエネルギーが磁気結合により２次側に伝達される。【００５２】
２次出力巻線１０６と同様に、スイッチング素子１０８の動作に応じて、補助電圧巻線１０７にパルス電圧が発生する。それにより、メイン巻線１０５のエネルギーが磁気結合により補助電圧巻線１０７に伝達される。【００５３】
補助電圧巻線用整流／平滑回路１１３は、整流ダイオード１１４および平滑コンデンサ１１５により構成される。整流ダイオード１１４のアノードは補助電圧巻線１０７の一端に接続され、カソードは平滑コンデンサ１１５の一端に接続される。平滑コンデンサ１１５の他端は１次側接地端子に接続される。整流ダイオード１１４は、補助電圧巻線１０７に発生したパルス電圧の正の成分のみを抽出して出力する。平滑コンデンサ１１５は、充電機能を利用して整流ダイオード１１４の出力電圧を直流電圧に変換する。補助電圧巻線用整流／平滑回路１１３により得られる直流電圧は、コントロールＩＣ１０９に供給される。【００５４】
コントロールＩＣ１０９は、電源端子Ｐ１，Ｐ２、接地端子Ｐ３、出力端子Ｐ４および制御端子Ｐ５を有し、起動スイッチ１１０、省エネルギースイッチ１１１、パルス発生回路１１２およびスイッチ制御回路１１２ａを含む。【００５５】
電源端子Ｐ１はノードＮ１に接続され、電源端子Ｐ２は補助電圧巻線用整流／平滑回路１１３の平滑コンデンサ１１５の一端に接続される。また、接地端子Ｐ３は１次側接地端子に接続される。出力端子Ｐ４はスイッチング素子１０８のゲート（制御端子）に接続され、制御端子Ｐ５は後述する伝達回路１２４を介して後述するタイマーマイコン１２３に接続される。【００５６】
起動スイッチ１１０は、電源端子Ｐ１とノードＮ３との間に接続される。省エネルギースイッチ１１１は、電源端子Ｐ２とノードＮ３との間に接続される。パルス発生回路１１２は、ノードＮ３と接地端子Ｐ３との間に接続される。このパルス発生回路１１２は、ノードＮ３の電圧により動作し、パルス信号Ｓ１を発生する。パルス発生回路１１２により発生されたパルス信号Ｓ１は、出力端子Ｐ４を介してスイッチング素子１０８に与えられる。【００５７】
スイッチ制御回路１１２ａは、制御端子Ｐ５に与えられる制御信号および電源端子Ｐ２の電圧に基づいて、スイッチ制御信号Ｓ２を起動スイッチ１１０に与える。起動スイッチ１１０は、スイッチ制御信号Ｓ２により開状態と閉状態とに切り替えられる。省エネルギースイッチ１１１は、制御端子Ｐ５に与えられるスイッチ制御信号Ｓ３により開状態と閉状態とに切り替えられる。【００５８】
起動スイッチ１１０が閉状態になると、ノードＮ１の直流電圧がコントロールＩＣ１０９の起動電圧としてパルス発生回路１１２に供給される。ここで、コントロールＩＣ１０９の起動電圧とは、コントロールＩＣ１０９を起動させるために必要な電圧である。このとき、省エネルギースイッチ１１１も閉状態になっている。そのため、電源端子Ｐ２の電圧Ｖａが上昇する。スイッチ制御回路１１２ａは、電源端子Ｐ２の電圧Ｖａが予め定められた電圧ＶＡ（例えば１４Ｖ）に到達した時点でコントロールＩＣ１０９が起動状態にあると判定し、起動スイッチ１１０を開状態にする。【００５９】
起動スイッチ１１０が開状態となった後、補助電圧巻線用整流／平滑回路１１３により得られる直流電圧がコントロールＩＣ１０９のパルス発生回路１１２に供給される。【００６０】
省エネルギースイッチ１１１は、補助電圧巻線用整流／平滑回路１１３からパルス発生回路１１２への直流電圧の供給を停止させるためのスイッチである。パルス発生回路１１２は、コントロールＩＣ１０９内で電力を消費する負荷抵抗器とみなすことができる。省エネルギースイッチ１１１が開状態になることにより、パルス発生回路１１２での消費電力が十分に低減される。省エネ用スイッチ１１１の動作の詳細については後述する。【００６１】
２次出力巻線用整流／平滑回路１１６は、整流ダイオード１１７および平滑コンデンサ１１８により構成される。整流ダイオード１１７は、２次出力巻線１０６に発生したパルス電圧の正の成分のみを抽出して出力する。平滑コンデンサ１１８は、充電機能を利用して整流ダイオード１１７の出力電圧を例えば１２Ｖの直流電圧に変換する。【００６２】
２次出力巻線用整流／平滑回路１１６の平滑コンデンサ１１８の容量値は、補助電圧巻線用整流／平滑回路１１３の平滑コンデンサ１１５の容量値よりも大きい。【００６３】
２次出力巻線用整流／平滑回路１１６により得られた直流電圧は、第１のＤＣ／ＤＣコンバータ回路１１９および第２のＤＣ／ＤＣコンバータ回路１２１に供給される。【００６４】
第１のＤＣ／ＤＣコンバータ回路１１９は、電気機器１が通常動作を行なう場合に通常時動作回路１２０へ電力を供給する。電気機器１が待機動作を行なう場合には、第１のＤＣ／ＤＣコンバータ回路１１９は通常時動作回路１２０へ電力を供給しない。通常時動作回路１２０は、第１のＤＣ／ＤＣコンバータ回路１１９から供給される電力により種々の動作を行なう。それにより、通常時動作回路１２０において電力が消費される。【００６５】
第２のＤＣ／ＤＣコンバータ回路１２１は、電気機器１が通常動作を行なう場合および待機動作を行なう場合に、リモコン受光部１２２およびタイマーマイコン１２３に電力を供給する。【００６６】
リモコン受光部１２２は、第２のＤＣ／ＤＣコンバータ回路１２１から供給される電力により動作し、リモコン１３０から送信される赤外線のリモコン信号を受信可能である。このリモコン受光部１２２は、受信したリモコン信号に基づいて、通常時動作回路１２０およびタイマーマイコン１２３に各種指示を与える。通常時動作回路１２０は、リモコン受光部１２２から与えられる指示に基づいて動作する。【００６７】
タイマーマイコン１２３は、第２のＤＣ／ＤＣコンバータ回路１２１から供給される電力により動作する。このタイマーマイコン１２３は、リモコン受光部１２２から与えられる指示に基づいて、経過時間の計測等の時間に関する演算を行なうとともに、伝達回路１２４を介してコントロールＩＣ１０９の制御端子Ｐ５に制御信号を与える。伝達回路１２４は、例えばフォトカプラからなる。【００６８】
このように、リモコン受光部１２２およびタイマーマイコン１２３は、通常時動作回路１２０が停止している場合であっても、動作することが必要である。【００６９】
図１の電気機器１において、通常時動作回路１２０を除く部分が電源装置１０を構成する。【００７０】
本実施の形態では、電気機器１は、リモコン１３０により操作される電気機器である。例えば、電気機器１は、ＤＶＤ（デジタルバーサタイル）レコーダもしくはハードディスクレコーダ等の記録再生装置、テレビ受信機、音響機器または空調機である。電気機器１が記録再生装置の場合には、通常時動作回路１２０は、チューナ、復調器、復号器および記録媒体駆動装置等を含む。電気機器１がテレビ受信機の場合には、通常時動作回路１２０は、チューナ、復調器、復号器、表示パネルおよびスピーカ等を含む。電気機器１が音響機器の場合には、通常時動作回路１２０は、チューナ、復調器、復号器、記録媒体駆動装置およびスピーカ等を含む。電気機器１が空調機の場合には、通常時動作回路１２０は、室外用熱交換器、室内用熱交換器、圧縮機および送風機等を含む。【００７１】
（１−２）電源装置の動作
図２は図１の電源装置の動作を説明するためのタイミングチャートである。図３は図１の電源装置の起動動作を示すフローチャートである。図４は図１の電源装置の待機動作を示すフローチャートである。【００７２】
図２には、ＡＣコードプラグ１００の状態、起動スイッチ１１０の状態、省エネルギースイッチ１１１の状態、スイッチ制御信号Ｓ３の状態、電源端子Ｐ２の電圧Ｖａ、ノードＮ２の電圧Ｖｂ、ノードＮ３の電圧Ｖｅ、パルス信号Ｓ１の状態および消費電力の概略変化が示される。【００７３】
ＡＣコードプラグ１００がＡＣコンセントに挿入されていない状態（商用交流電源から遮断された状態）をローレベルで示し、ＡＣコードプラグ１００がＡＣコンセントに挿入されている状態（商用交流電源に接続された状態）をハイレベルで示す。起動スイッチ１１０および省エネルギースイッチ１１１の状態については、閉状態（オン状態）をハイレベルで示し、開状態（オフ状態）をローレベルで示す。本例では、スイッチ制御信号Ｓ３がローレベルのときに省エネルギースイッチ１１１が閉状態（オン状態）になり、スイッチ制御信号Ｓ３がハイレベルのときに省エネルギースイッチ１１１が開状態（オフ状態）になる。また、パルス信号Ｓ１がハイレベルのときにスイッチング素子１０８が閉状態（オン状態）となり、パルス信号Ｓ１がローレベルのときにスイッチング素子１０８が開状態（オフ状態）となる。【００７４】
まず、電源装置１０の起動動作および通常動作を図２および図３を用いて説明する。【００７５】
図２において、ＡＣコードプラグ１００がＡＣコンセントに挿入される時点をｔ１とする。時点ｔ１よりも前には、起動スイッチ１１０、省エネルギースイッチ１１１およびスイッチング素子１０８は閉状態（オン状態）にある。また、スイッチ制御信号Ｓ３はローレベルであり、電源端子Ｐ２の電圧ＶａおよびノードＮ２の電圧ＶｂおよびノードＮ３の電圧Ｖｅは０であり、消費電力は０である。【００７６】
時点ｔ１でＡＣコードプラグ１００がＡＣコンセントに挿入されると（ステップＳ３０１）、商用交流電源から供給される交流電圧が整流／平滑回路１０１により直流電圧に変換される。それにより、ノードＮ１に直流電圧が供給される。このとき、起動スイッチ１１０および省エネルギースイッチ１１１は閉状態（オン状態）であるため、電源端子Ｐ２の電圧Ｖａが上昇する。また、ノードＮ３の電圧Ｖｅも上昇する。それにより、パルス発生回路１１２が動作を開始し、スイッチ制御回路１１２ａによりパルス信号Ｓ１が発生され始める。パルス信号Ｓ１がハイレベルのときにスイッチング素子１０８が閉状態（オン状態）となる。このとき、変圧器１０４のメイン巻線１０５に電流ｉが流れる。それにより、メイン巻線１０５にエネルギーが蓄積される。パルス信号Ｓ１がローレベルのときにスイッチング素子１０８が開状態（オフ状態）となる。パルス信号Ｓ１に応答してスイッチング素子１０８が開状態と閉状態とを繰り返すことにより、メイン巻線１０５のエネルギーが磁気結合により２次出力巻線１０６および補助電圧巻線１０７に伝達される。その結果、変圧器１０４の２次出力巻線１０６および補助電圧巻線１０７にパルス電圧が発生する。【００７７】
２次出力巻線用整流／平滑回路１１６は、２次出力巻線１０６のパルス電圧を直流電圧に変換する。それにより、ノードＮ２の電圧Ｖｂが上昇する。また、補助電圧巻線用整流／平滑回路１１３は、補助電圧巻線１０７のパルス電圧を直流電圧に変換する。したがって、起動動作時には、パルス発生回路１１２には、起動スイッチ１１０および省エネルギースイッチ１１１を通して電圧が与えられる。起動動作時の消費電力は、後述する通常動作時の消費電力よりもやや高くなる。【００７８】
図２の時点ｔ２で電源端子Ｐ２の電圧ＶａおよびノードＮ３の電圧Ｖｅが電圧ＶＡに達する。このとき、ノードＮ２の電圧Ｖｂは電圧ＶＢとなる。ここで、電圧ＶＡは例えば１４Ｖである。また、電圧ＶＢは例えば１２Ｖである。【００７９】
コントロールＩＣ１０９のスイッチ制御回路１１２ａは、電源端子Ｐ２の電圧Ｖａが電圧ＶＡに達したか否かを判定する（ステップＳ３０２）。【００８０】
電源端子Ｐ２の電圧Ｖａが電圧ＶＡに達した場合、スイッチ制御回路１１２ａは、スイッチ制御信号Ｓ２により起動スイッチ１１０を開状態（オフ状態）にする（ステップＳ３０３）。【００８１】
電源装置１０は、時点ｔ１から時点ｔ２までの期間Ｔ１において起動動作を行い、時点ｔ２から時点ｔ３までの期間Ｔ２において通常動作を行なう。時点ｔ３は、リモコン受光部１２２が電源オフの指示を受ける時点である。【００８２】
通常動作時には、電源端子Ｐ２の電圧ＶａおよびノードＮ３の電圧Ｖｅが電圧ＶＡであり、省エネルギースイッチ１１１は閉状態（オン状態）である。そのため、パルス発生回路１１２が動作し、パルス信号Ｓ１を発生する。パルス信号Ｓ１に応答してスイッチング素子１０８が開状態と閉状態とを繰り返すことにより、起動動作時と同様に、メイン巻線１０５のエネルギーが磁気結合により２次出力巻線１０６および補助電圧巻線１０７に伝達される。その結果、変圧器１０４の２次出力巻線１０６および補助電圧巻線１０７にパルス電圧が発生する。【００８３】
２次出力巻線用整流／平滑回路１１６は、２次出力巻線１０６のパルス電圧を直流電圧に変換し、第１のＤＣ／ＤＣコンバータ回路１１９および第２のＤＣ／ＤＣコンバータ回路１２１に与える。それにより、第１のＤＣ／ＤＣコンバータ回路１１９から通常時動作回路１２０に直流電力が供給されるとともに、第２のＤＣ／ＤＣコンバータ回路１２１からリモコン受光部１２２およびタイマーマイコン１２３に直流電力が供給される。したがって、通常時動作回路１２０、リモコン受光部１２２およびタイマーマイコン１２３が動作する。この場合、電源装置１０において一定の電力が消費される。【００８４】
補助電圧巻線用整流／平滑回路１１３は、補助電圧巻線１０７のパルス電圧を直流電圧に変換する。それにより、電源端子Ｐ２の電圧ＶａおよびノードＮ３の電圧Ｖｅは電圧ＶＡに保持される。したがって、スイッチ制御回路１１２ａは、電源端子Ｐ２の電圧Ｖａにより動作する。また、パルス発生回路１１２は、ノードＮ３の電圧Ｖｅにより動作する。また、平滑コンデンサ１１５は電圧ＶＡに充電されている。【００８５】
通常動作時に、ユーザが任意の時点でリモコン１３０の電源スイッチをオフすると、リモコン受光部１２２は、リモコン受光部１２２から電源オフの指示を受ける。【００８６】
タイマーマイコン１２３は、リモコン受光部１２２がリモコン受光部１２２から電源オフの指示を受けたか否かを判定する（ステップＳ３０４）。図２においては、リモコン受光部１２２は、時点ｔ３でリモコン受光部１２２から電源オフの指示（待機動作の指示）を受ける。【００８７】
リモコン受光部１２２がリモコン受光部１２２から電源オフの指示を受けた場合、電源装置１０は待機動作に移行する。【００８８】
次に、電源装置１０の待機動作および通常動作を図２および図４を用いて説明する。【００８９】
電源装置１０が待機動作に移行すると、タイマーマイコン１２３は、第１のＤＣ／ＤＣコンバータ回路１１９を制御することにより通常時動作回路１２０への電力供給を停止する（ステップＳ４０１）。【００９０】
また、タイマーマイコン１２３は、スイッチ制御信号Ｓ３をハイレベルにする。それにより、図２の時点ｔ３で省エネルギースイッチ１１１が開状態（オフ状態）になる（ステップＳ４０２）。その結果、コントロールＩＣ１０９のノードＮ３に電圧が供給されなくなる。つまり、ノードＮ３の電圧Ｖｅが０Ｖとなる。それにより、パルス発生回路１１２の動作が停止し、図２に示すように、パルス信号Ｓ１の発生が停止する。【００９１】
この場合、スイッチング素子１０８が開閉動作を行わずに、開状態（オフ状態）を維持する。そのため、メイン巻線１０５に電流ｉが流れない。したがって、メイン巻線１０５から２次出力巻線１０６および補助電圧巻線１０７へのエネルギーの伝達が停止する。その結果、ノードＮ２の電圧Ｖｂも徐々に低下する。また、電源端子Ｐ２の電圧Ｖａが徐々に低下する。ここで、平滑コンデンサ１１８の容量値が平滑コンデンサ１１５の容量値よりも大きいため、電圧Ｖｂは、電圧Ｖａに比べて緩やかに低下する。【００９２】
タイマーマイコン１２３は、省エネルギースイッチ１１１が開状態（オフ状態）になった時点から一定時間Ｔａが経過したか否かを判定する（ステップＳ４０３）。一定時間Ｔａは、例えば１５ｓｅｃである。【００９３】
省エネルギースイッチ１１１が開状態（オフ状態）になった時点から一定時間Ｔａが経過した場合に、タイマーマイコン１２３は、スイッチ制御信号Ｓ３をローレベルにする。それにより、省エネルギースイッチ１１１が閉状態（オン状態）になる（ステップＳ４０４）。【００９４】
さらに、タイマーマイコン１２３は、省エネルギースイッチ１１１が閉状態（オン状態）になった時点から一定時間Ｔｂが経過したか否かを判定する（ステップＳ４０５）。一定時間Ｔｂは、例えば３０μｓｅｃである。【００９５】
上記の一定時間Ｔａ，Ｔｂは、省エネルギースイッチ１１１が開状態（オン状態）になった時点からノードＮ２の電圧Ｖｂが所定の電圧ＶＣに低下するまでの時間に設定される。ノードＮ２の電圧Ｖｂが電圧ＶＣ以上の場合に、リモコン受光部１２２およびタイマーマイコン１２３が動作可能である。【００９６】
省エネルギースイッチ１１１が閉状態（オン状態）になった時点から一定時間Ｔｂが経過した場合には、タイマーマイコン１２３は、起動スイッチ１１０を閉状態（オン状態）にするための制御信号を伝達回路１２４を通してスイッチ制御回路１１２ａに与える。スイッチ制御回路１１２ａは、図２の時点ｔ４でスイッチ制御信号Ｓ２により起動スイッチ１１０を閉状態（オン状態）にする（ステップＳ４０６）。【００９７】
この場合、コントロールＩＣ１０９のノードＮ３に電圧が供給される。それにより、パルス発生回路１１２が動作を再開し、図２に示すように、パルス信号Ｓ１を発生する。また、電源端子Ｐ２の電圧ＶａおよびノードＮ２の電圧Ｖｂが上昇する。【００９８】
また、コントロールＩＣ１０９のスイッチ制御回路１１２ａは、電源端子Ｐ２の電圧Ｖａが電圧ＶＡに達したか否かを判定する（ステップＳ４０７）。電源端子Ｐ２の電圧Ｖａが電圧ＶＡに達した場合、スイッチ制御回路１１２ａは、図２の時点ｔ５でスイッチ制御信号Ｓ２により起動スイッチ１１０を開状態（オフ状態）にする（ステップＳ４０８）。【００９９】
ここで、タイマーマイコン１２３は、リモコン受光部１２２がリモコン１３０から電源オンの指示を受けたか否かを判定する（ステップＳ４０９）。リモコン受光部１２２がリモコン１３０から電源オンの指示を受けていない場合には、タイマーマイコン１２３は、ステップＳ４０２の処理に戻り、省エネルギースイッチ１１１を開状態（オフ状態）にする。省エネルギースイッチ１１１が開状態になる時点は、ステップＳ４０８で起動スイッチ１１０が開状態になる時点と同じであってもよい。【０１００】
時点ｔ３から時点ｔ４までの期間Ｔ３１においては、２次出力巻線用整流／平滑回路１１６の平滑コンデンサ１１８に充電された電圧により第１のＤＣ／ＤＣコンバータ回路１１９を通してリモコン受光部１２２およびタイマーマイコン１２３に電力が供給される。この場合、変圧器１０４のメイン巻線１０５から２次出力巻線１０６および補助電圧巻線１０７にエネルギーは伝達されない。したがって、期間Ｔ３１では、電源装置１０における消費電力はほぼ０である。時点ｔ４から時点ｔ５までの期間Ｔ３２での消費電力は、後述する通常動作時の消費電力よりもやや高くなる。以後、期間Ｔ３１および期間Ｔ３２の動作が繰り返される。【０１０１】
ユーザが任意の時点でリモコン１３０の電源スイッチをオンすると、リモコン受光部１２２は、リモコン１３０から電源オンの指示を受ける。図２においては、リモコン受光部１２２は、時点ｔ６でリモコン１３０から電源オンの指示（通常動作の指示）を受ける。【０１０２】
図４のステップＳ４０９において、リモコン受光部１２２がリモコン１３０から電源オンの指示を受けた場合には、電源装置１０は通常動作に移行する。【０１０３】
通常動作時には、タイマーマイコン１２３は、スイッチ制御信号Ｓ３をローレベルにする。それにより、図２に示すように、省エネルギースイッチ１１１が閉状態（オン状態）になる。その後、タイマーマイコン１２３は、起動スイッチ１１０を閉状態（オン状態）にするための制御信号を伝達回路１２４を通してスイッチ制御回路１１２ａに与える。それにより、図２の時点ｔ７で起動スイッチ１１０が閉状態（オン状態）になる。【０１０４】
この場合、コントロールＩＣ１０９のノードＮ３に電圧が供給される。それにより、パルス発生回路１１２が動作を再開し、図２に示すように、パルス信号Ｓ１の発生を開始する。また、電源端子Ｐ２の電圧Ｖａ、ノードＮ２の電圧ＶｂおよびノードＮ３の電圧Ｖｅが上昇する。図２の時点ｔ８で電源端子Ｐ２の電圧ＶａおよびノードＮ３の電圧Ｖｅが電圧ＶＡに達する。このとき、ノードＮ２の電圧Ｖｂは電圧ＶＢとなる。電源端子Ｐ２の電圧Ｖａが電圧ＶＡに達した場合、スイッチ制御回路１１２ａは、スイッチ制御信号Ｓ２により起動スイッチ１１０を開状態（オフ状態）にする。スイッチ制御信号Ｓ３はローレベルに維持される。それにより、省エネルギースイッチ１１１は閉状態（オン状態）を続ける。時点ｔ８以後の期間Ｔ４の通常動作は、期間Ｔ２の通常動作と同様である。【０１０５】
この状態で、タイマーマイコン１２３は、通常時動作回路１２０へ電力を供給するように第１のＤＣ／ＤＣコンバータ回路１１９を制御する。【０１０６】
（１−３）実施の形態の効果
以上のように、第１の実施の形態に係る電源装置１０においては、待機動作時に、省エネルギースイッチ１１１が一定期間ごとに開状態になる。省エネルギースイッチ１１１が開状態である期間には、変圧器１０４に電流ｉが供給されない。この場合、２次出力巻線用整流／平滑回路１１６の平滑コンデンサ１１８に充電された電圧により第２のＤＣ／ＤＣコンバータ回路１２１を通してリモコン受光部１２２およびタイマーマイコン１２３に電力が供給される。また、コントロールＩＣ１０９のパルス発生回路１１２に電圧が供給されない。したがって、電源装置１０の待機動作時の消費電力を十分に低減することができる。【０１０７】
また、省エネルギースイッチ１１１が開状態になってから一定時間Ｔａが経過したときに省エネルギースイッチ１１１が閉状態となり、さらに一定時間Ｔｂが経過したときに起動スイッチ１１０が閉状態となる。それにより、ノードＮ２の電圧Ｖｂが電圧ＶＣよりも低下する前にパルス発生回路１１２が動作する。その結果、ノードＮ２の電圧Ｖｂが電圧ＶＢまで上昇する。したがって、待機動作時に、リモコン受光部１２２およびタイマーマイコン１２３への電力の供給が停止することがない。【０１０８】
このように、本実施の形態に係る電源装置１０では、待機動作時の消費電力を十分を低減しつつ、リモコン１３０からの指示を受け付けることができる。【０１０９】
（２）第２の実施の形態
第２の実施の形態に係る電源装置を備えた電気機器について説明する。図５は第２の実施の形態に係る電源装置を備えた電気機器の構成を示す回路図である。図６は第２の実施の形態に係る電源装置の待機動作を示すフローチャートである。【０１１０】
図５の電源装置１０が図１の電源装置１０と異なるのは、電圧検出回路１３１がさらに設けられる点である。電圧検出回路１３１は、ノードＮ２の電圧Ｖｂを検出し、電圧Ｖｂが電圧ＶＣまで低下したか否かを判定する。この電圧検出回路１３１は、電圧Ｖｂが電圧ＶＣまで低下した場合に、起動スイッチ１１０を閉状態（オン状態）にするための制御信号を伝達回路１２４を通してコントロールＩＣ１０９のスイッチ制御回路１１２ａに与える。【０１１１】
また、図６の待機動作が図４の待機動作と異なるのは、図４のステップＳ４０５の代わりにステップＳ４１０が実行される点である。ステップＳ４１０において、電圧検出回路１３１は、電圧Ｖｂが電圧ＶＣまで低下したか否かを判定する。電圧ＶＣは、例えば４Ｖである。【０１１２】
電圧Ｖｂが電圧ＶＣまで低下した場合には、電圧検出回路１３１は、起動スイッチ１１０を閉状態（オン状態）にするための制御信号を伝達回路１２４を通してスイッチ制御回路１１２ａに与える。スイッチ制御回路１１２ａは、図２の時点ｔ４でスイッチ制御信号Ｓ２により起動スイッチ１１０を閉状態（オン状態）にする（ステップＳ４０６）。【０１１３】
この場合、コントロールＩＣ１０９のノードＮ３に電圧が供給される。それにより、パルス発生回路１１２が動作を再開し、図２に示すように、パルス信号Ｓ１を発生する。また、電源端子Ｐ２の電圧Ｖａ、ノードＮ２の電圧ＶｂおよびノードＮ３の電圧Ｖｅが上昇する。【０１１４】
第２の実施の形態に係る電源装置１０の他の動作は、第１の実施の形態に係る電源装置１０の対応する動作と同様である。【０１１５】
以上のように、第２の実施の形態に係る電源装置１０においても、待機動作時に、省エネルギースイッチ１１１が一定期間ごとに開状態になる。省エネルギースイッチ１１１が開状態である期間には、変圧器１０４に電流ｉが供給されない。この場合、２次出力巻線用整流／平滑回路１１６の平滑コンデンサ１１８に充電された電圧により第２のＤＣ／ＤＣコンバータ回路１２１を通してリモコン受光部１２２およびタイマーマイコン１２３に電力が供給される。また、コントロールＩＣ１０９のパルス発生回路１１２に電圧が供給されない。したがって、電源装置１０の待機動作時の消費電力を十分に低減することができる。【０１１６】
また、省エネルギースイッチ１１１が開状態になってから一定時間Ｔａが経過したときに省エネルギースイッチ１１１が閉状態となり、ノードＮ２の電圧Ｖｂが電圧ＶＣまで低下したときに起動スイッチ１１０が閉状態となる。それにより、ノードＮ２の電圧Ｖｂが電圧ＶＣよりも低下する前にパルス発生回路１１２が動作する。その結果、ノードＮ２の電圧Ｖｂが電圧ＶＢまで上昇する。したがって、待機動作時に、リモコン受光部１２２およびタイマーマイコン１２３への電力の供給が停止することがない。【０１１７】
このように、本実施の形態に係る電源装置１０では、待機動作時の消費電力を十分を低減しつつ、リモコン１３０からの指示を受け付けることができる。【０１１８】
（３）第３の実施の形態
第３の実施の形態に係る電源装置を備えた電気機器について説明する。図７は第３の実施の形態に係る電源装置を備えた電気機器の構成を示す回路図である。【０１１９】
図７の電源装置１０が図５の電源装置１０と異なるのは、変圧器１０４が電圧検出用補助巻線１０７ａをさらに有し、電圧検出回路１３１の代わりに電圧検出回路１４０が設けられる点である。電圧検出用補助巻線１０７ａの一端は１次側接地端子に接続され、他端は電圧検出回路１４０に接続される。電圧検出回路１４０は、電圧検出用補助巻線１０７ａの電圧Ｖｃを検出し、電圧Ｖｃが予め定められた電圧ＶＤまで低下したか否かを判定する。この電圧検出回路１４０は、電圧Ｖｃが電圧ＶＤまで低下した場合に、起動スイッチ１１０を閉状態（オン状態）にするための制御信号を伝達回路１２４を通してコントロールＩＣ１０９のスイッチ制御回路１１２ａに与える。電圧ＶＤは、ノードＮ２の電圧Ｖｂが電圧ＶＣまで低下したときの電圧検出用補助巻線１０７ａの電圧Ｖｃに設定される。【０１２０】
この場合、コントロールＩＣ１０９のノードＮ３に電圧が供給される。それにより、パルス発生回路１１２が動作を再開し、パルス信号Ｓ１を発生する。また、電源端子Ｐ２の電圧Ｖａ、ノードＮ２の電圧ＶｂおよびノードＮ３の電圧Ｖｅが上昇する。【０１２１】
第３の実施の形態に係る電源装置１０の他の動作は、第２の実施の形態に係る電源装置１０の対応する動作と同様である。【０１２２】
第３の実施の形態に係る電源装置１０においても、省エネルギースイッチ１１１が開状態になった後に、ノードＮ２の電圧Ｖｂが電圧ＶＣよりも低下する前にパルス発生回路１１２が動作する。その結果、ノードＮ２の電圧Ｖｂが電圧ＶＢまで上昇する。したがって、待機動作時に、リモコン受光部１２２およびタイマーマイコン１２３への電力の供給が停止することがない。【０１２３】
このように、本実施の形態に係る電源装置１０では、待機動作時の消費電力を十分に低減しつつ、リモコン１３０からの指示を受け付けることができる。【０１２４】
（４）他の実施の形態
（ａ）スイッチング素子１０８、起動スイッチ１１０および省エネルギースイッチ１１１の各々は、トランジスタ等の半導体スイッチであってもよく、または機械的なスイッチであってもよい。開状態と閉状態とに切り替えられる種々のスイッチを用いることができる。また、スイッチング素子１０８、起動スイッチ１１０および省エネルギースイッチ１１１の各々は、電子回路等のハードウエアにより制御されてもよく、ＣＰＵ（中央演算処理装置）により実行されるコンピュータプログラムのようなソフトウエアにより制御されてもよい。【０１２５】
（ｂ）上記第１の実施の形態では、省エネルギースイッチ１１１が開状態になってから閉状態になるまでの時間Ｔａは例えば１５ｓｅｃであるが、これに限定されず、時間Ｔａが他の値を有してもよい。起動スイッチ１１０が閉状態になる前に省エネルギースイッチ１１１が閉状態になることが好ましい。【０１２６】
（ｃ）上記第１の実施の形態では、省エネルギースイッチ１１１が閉状態になってから起動スイッチ１１０が閉状態になるまでの時間Ｔｂは例えば３０μｓｅｃであるが、これに限定されず、変圧器１０４の２次側の構成に応じて２次側の電圧が必要な値以上に維持されるならば、時間Ｔｂが他の値を有してもよい。【０１２７】
（ｄ）上記第２の実施の形態では、ノードＮ２の電圧Ｖｂに基づいて起動スイッチ１１０が閉じられるが、これに限定されない。【０１２８】
例えば、電源端子Ｐ２の電圧Ｖａに基づいて起動スイッチ１１０が閉じられてもよい。この場合、リモコン受光部１２２およびタイマーマイコン１２３に供給される電圧が所定値よりも低下したか否かが電圧Ｖａに基づいて判定される。スイッチ制御回路１１２ａは、電圧Ｖａが例えば０．１Ｖに低下したか否かを判定し、電圧Ｖａが０．１Ｖに低下した場合にスイッチ制御信号Ｓ２により起動スイッチ１１０を閉じる。それにより、スイッチング素子１０８が変圧器１０４のメイン巻線１０５に電流を供給しない状態に切り替わった後に、補助電圧巻線用整流／平滑回路１１３の出力電圧が０．１Ｖまで低下したときに、スイッチング素子１０８が変圧器１０４のメイン巻線１０５に電流を供給する状態に切り替わる。その結果、２次出力巻線用整流／平滑回路１１６の出力電圧の低下によるリモコン受光部１２２およびタイマーマイコン１２３の動作が停止することが防止される。【０１２９】
また、変圧器１０４の２次出力巻線１０６の電圧に基づいて起動スイッチ１１０が閉じられてもよい。この場合、リモコン受光部１２２およびタイマーマイコン１２３に供給される電圧が所定値よりも低下したか否かが２次出力巻線１０６の電圧に基づいて判定される。【０１３０】
（ｅ）上記第１〜第３の実施の形態では、省エネルギースイッチ１１１がコントロールＩＣ１０９の内部に設けられるが、これに限定されない。省エネルギースイッチ１１１がコントロールＩＣ１０９とは別個のハードウエア構成としてコントロールＩＣ１０９の外部に設けられてもよい。【０１３１】
（ｆ）上記第１〜第３の実施の形態では、電圧ＶＡは例えば１４Ｖであり、電圧ＶＢは例えば１２Ｖであり、電圧ＶＣは例えば４Ｖであるが、これらに限定されず、電圧ＶＡ、電圧ＶＢおよび電圧ＶＣがそれぞれ他の値を有してもよい。【０１３２】
（ｇ）上記第１〜第３の実施の形態では、電源装置１０がフライバック型電源方式を有するが、これに限定されない。電源装置１０の電源方式が、フォワード型であってもよく、プッシュプル、ハーフブリッジまたはフルブリッジ等の多石型であってもよく、電圧共振または電流共振等の共振型であってもよい。また、電源装置１０の電源方式が、降圧チョッパ、昇圧チョッパもしくはチャージポンプであってもよく、または同期整流等の非絶縁型であってもよい。このように、本発明は、あらゆる電源方式の電源装置に適用できる。【０１３３】
（ｈ）上記第１〜第３の実施の形態では、電源装置１０がリモコン１３０の操作により通常動作から待機動作に移行するが、本発明に係る電源装置はこれに限定されない。例えば、電源装置１０がタイマーにより自動的に通常動作から待機動作に移行してもよい。この場合、リモコン受光部１２２は設けられなくてもよい。【０１３４】
（ｉ）上記第１〜第３の実施の形態では、起動スイッチ１１０を閉状態（オン状態）にするタイミングをタイマーマイコン１２３からの制御信号を利用して決定するが、これに限定されない。コントロールＩＣ１０９の内部に演算回路またはタイマー回路が設けられてもよい。この場合、省エネルギースイッチ１１１が閉状態（オン状態）になったことが演算回路またはタイマー回路により検出され、その後起動スイッチ１１０が自動的に閉状態（オン状態）に移行する。【０１３５】
このような電源装置１０は、例えばサーバとして働くコンピュータ、複写機またはファクシミリ装置等の電気機器１に適用することができる。電気機器１がサーバの場合には、通常時動作回路１２０は電源装置１０以外のコンピュータの本体部分である。サーバの電源装置１０は、プログラムされたタイマーにより通常動作から待機動作に移行する。また、電気機器１が複写機の場合には、通常時動作回路１２０は光学的読取部および印字部等を含む。複写機の電源装置１０は、その複写機が一定時間操作されない場合にタイマーにより通常動作から待機動作に移行する。さらに、電気機器１がファクシミリ装置の場合には、通常時動作回路１２０は印字部等からなる。また、ファクシミリ装置は通信部を含む。通信部には、電源装置１０の待機動作時にも電力が供給される。ファクシミリ装置の電源装置１０は、そのファクシミリ装置が一定時間操作されない場合にタイマーにより通常動作から待機動作に移行する。ファクシミリ装置の通信部が受信動作を行った場合には、電源装置１０が待機動作から通常動作に移行する。【０１３６】
電源装置１０は、電気炊飯器、電気ポットおよび電気洗濯機等の他の種々の電気機器１に適用することができる。【０１３７】
（５）請求項の各構成要素と実施の形態の各要素との対応
以下、請求項の各構成要素と実施の形態の各要素との対応の例について説明するが、本発明は下記の例に限定されない。【０１３８】
上記実施の形態では、整流／平滑回路１０１が電圧発生部の例であり、スイッチング素子１０８が第１のスイッチの例であり、変圧器１０４、２次出力巻線用整流／平滑回路１１６および補助電圧巻線用整流／平滑回路１１３が電圧変換部の例である。【０１３９】
また、省エネルギースイッチ１１１が第２のスイッチの例であり、パルス発生回路１１２およびスイッチ制御回路１１２ａが制御回路の例であり、リモコン受光部１２２が指示部の例であり、タイマーマイコン１２３、電圧検出回路１３１または電圧検出回路１４０がスイッチ制御部の例であり、起動スイッチ１１０が第３のスイッチの例である。【０１４０】
さらに、タイマーマイコン１２３が計時部の例であり、電圧検出回路１３１または電圧検出回路１４０が電圧検出部の例であり、２次出力巻線用整流／平滑回路１１６が第１の整流平滑回路の例であり、補助電圧巻線用整流／平滑回路１１３が第２の整流平滑回路の例であり、平滑コンデンサ１１８が容量素子または第１の容量素子の例であり、平滑コンデンサ１１５が第２の容量素子の例であり、電圧ＶＢが第１の値の例であり、電圧ＶＣが第２の値の例である。【０１４１】
請求項の各構成要素として、請求項に記載されている構成または機能を有する他の種々の要素を用いることもできる。
【産業上の利用可能性】
【０１４２】
本発明に係る電源装置は、電源管理が必要な種々の電気機器または電子機器等に利用できる。
【図１】
2011065024.tif 000003
【図２】
2011065024.tif 000004
【図３】
2011065024.tif 000005
【図４】
2011065024.tif 000006
【図５】
2011065024.tif 000007
【図６】
2011065024.tif 000008
【図７】
2011065024.tif 000009
【国際調査報告】
2011065024.tif 000010
2011065024.tif 000011
2011065024.tif 000012
2011065024.tif 000013